(57)【要約】      （修正有）【課題】油類の炎から天井の燃えるのを防ぎ、復数の所より身を守り乍ら瞬時に火を消し，それも管理されるので無く確実を重んじ自力でおこない、核家族、高齢化、人員整理等による消火能力の低下の補強をする。【解決手段】環境と美観を併せた防炎具を装備し、ガス使用箇所数だけの家内、外に設けた遮断弁を遠隔操縦方法を以て瞬時に其のガスの流れを断ち延焼の元を閉める。【選択図】  図１
2004216101.tif 000002
【特許請求の範囲】
【請求項１】
家屋内でガスを使用中油に引火し炎４が天井１４′に達せんとした時に、防炎器３３、３３にて延燒を防がんとする防災防炎装置
【請求項２】
個住宅の厨房、浴室又工場、共同住宅其の他「ガス」使用の処の出火に際し身の危険を感じた時は逃走するを指導とする今、該装置はそれを破り他力本願の管理より、関係する全員が自から握り手５を引き、其の瞬間の働は遮断弁６、２４を閉め火のエネルギーを断ち延焼の憂をなくし沈着冷静に消火処置を行える５から３７に至る遠隔操縦に関連する器具方法を駆使するを果し尚地震時にも、５を引くを第一とした防災を兼ねた防炎装置。
【発明の詳細な説明】
【０００１】
【発明に属する技術分野】
本案は家屋内に於てガス使用中の出火に際し、炎より建物を守り、尚最も近い時間に安全を第一としてガスを遮断する防炎装置で、器具、遠隔操縦方法に関する。
【０００２】
【従来の技術】
天ぷらの調理中引火し鍋より炎が上り身の危険を感じた時、公的な指導層も現時では逃走をすすめている様です
【０００３】
【発明が解決しようとする課題】
出火の際、どこからでも、どこに居ても、ガスの流れを止めたい、殊に油に及ぶ失火により、天井を守りたい、大火に至らぬ為め逃げる姿勢を地震の崩壊時以外にやめ、身の安全を第一とし乍らもとどまり、消火を容易にしたい。
焼えるのが使命で当然なガスの初期消火を完全無欠に果せるのが該装置である
【０００４】
【課題を解決するための手段】
油類の出火に現在の建築は天井の防炎は無防備過ぎる、之れに対し該案は、「ふち」を深くもった箱型を逆さにしたもので、図にある如く立ち上る炎を包み外に出さぬ様にしたもので尚、環境に合せた華麗な耐火に豊んだ復数の耐火性の合金又は陶磁器製の３３で３３′は天井に埋込んだ共に防炎器で３４は取付器そして尚建物内で、あらゆる場所で、あらゆる装置、機器でガスを使用中、殊に地震等の天災により身を危険から守る爲め逃げざるを得無い時、又失火等の人災により仝じく身の危険のため逃げざるを得ない時各々室内の元栓を閉め難いのが現状である、此の出火時のこの処置は類燒それの容認でありこれは決して許してはならない事である。本装置は地震時は出火せずとも、他の出火時には逃げず出火直後遮断弁６、２４をして、握り手５を引く作業をしガスの流れを完全に断ち燃焼の力を「ゼロ」にして延焼するを止め、もって冷静に防災、消火活動を行える防炎装置である。
【０００５】
【発明の実施の形態】
油に引火し天井に延焼するを防炎器にて防ぎ、尚ガス機器の出火に際し、瞬時にして、ガスエネルギーの供給を遠隔操縦にて断ち、火、炎を併せて断ちもって大災害に至るを防災せんとする身の安全を計って行える防炎装置である。
【０００６】
実施例図を身近な個住宅（個人）にとったが本発明の目的は一見高級復雑に見える３２の実施も全く同様で１はガス台、２はガスコンロ、３は天ぷら台、４は炎で油類に引火した時、４が天井１４′に達せんとする時防炎器３３で火勢を押え方向を変え更に天井にはめ込んだ防炎器で（３３′）延焼を確実に防ぐ、３４は耐火性のある支持金物である。
【０００７】
地震等の天災失火等の人災で出火した時、現在指導層はいずれの場合でも身の危険を感じた時には逃げろと言ている、本発明は屋外にある遮断弁６に耐火性にとんだ柔軟なワイヤー１０を遮断弁６の把手７（ガスが流れてる状体）に穴を開け１１の如くしっかり巻きつけるかボルトナットで固定する１０は滑車１２を至て貫通孔１３より天井裏１４に入るワイヤが作動中外れない様復合滑車１５に通す尚握り手５を数多く使う時は必要数を一組のワイヤ集合体１８にして固着部１６連結器１７にて結び、取付け工事の時省力を計りたい又ワイヤーのたるみを押える為スプリング付滑車１９を用いスプリング１９′は常に適度の張りをもって本番の時の損失を補うものとする、ガスを遮断する時は常に出入りの劇しい所に握り手５を設けるが良い。又調整器２０を用い衝撃を和らげ、暖和のスプリング２１その距離２２とそれを擢動し合せる板を２３とするこの動作の基本は遮断弁６の把手においてガス使用中７（点線）が遮断時８（実線）に至る距離９によるものである遮断弁２４の場合も同じである
【０００８】
ワイヤー１０の系統は前述に併せ、共同住宅、工場、企業向けで、ワイヤー１０′は既設住宅並びに改造困難な施設や厨房のみとする例を示したもので天井１４′を対象としたもので使用操作は１０利用と同じで殊に出火の際室内元栓２５を閉められず逃走のする際、本発明の効果は大である、又２５を改造して６、２４と同様に扱うも可能であるが朝晩にワイヤーのたるみの調整等を考えると別に２４を付けたのが理想と考えた又３５はワイヤー調整器２０のスプリングを押え安定を計る板で３６はその板とスプリングを結ぶ部品で３７はスプリングの脱落防止板である。
２６はガス管、２７は屋外メーター、２８は居間、２９は浴室、３０は出入口、３１は浴室、空調機器等の施設に至る配管３２は共同住宅、事業所施設の階上、地下に至る配管
【０００９】
【発明の効果】
油類の炎より天井の延焼を防ぎ旦、出火の際、地震中といえども身を守りながら燃えるエネルギーのガスを復数の箇所より瞬時に断ち冷静に消火作業が出来る
【００１０】
要約書の課題には書いた事であるが家族の少人数や人員整理も今で、やがて販やかを望むので「請求の項」には求めなかったが例えば厨房で失火して大声を出して女性が混乱してる時居間に居る男性が其処にある握り手５を引き遮断弁を閉めめればガスを閉められ大難を小難に治められる効果がある斯くの如く厨房室用丈でも施行すれば防火に役するは大で遮断弁ワイヤー、握り手のみで事足りる若し電磁弁を使用せんとする時共同住宅、大施設で復活の際ガス洩れによる災害を考える該装置の安全と自立はそれを踏み越せる優良性あると、信じるものである。
【図面の簡単な説明】
【図１】防災を兼ねた防炎装置の夛岐に渉る立体的要領図
【図２】図１の部分的に拡大し詳細化した系統的な防炎装置図
【符号の説明】
１  ガス台
２  ガスコンロ
３  天ぷら鍋
４  炎
５  握り手
６  屋外にある遮断弁
７  ６にガスが流れているを点線で示す把手
８  ６に流れているガスの遮断を実線で示す把手
９  ７から８えの作動距離
１０、１０′ワイヤー
１１  ワイヤーを把手７にしっかり固定するを示す
１２  滑車
１３  貫通孔
１４  天井裏
１４′天井
１５  復合滑車
１６  固着部
１７  連結器
１８  ワイヤの集合体
１９  スプリング付滑車
１９′１９用スプリング
２０  調整器
２１  ２０用スプリング
２２  調整器の作動距離
２３  ２２用の擢動板
２４  室内にある遮断弁
２５  室内の元栓
２６  ガス管
２７  屋外メーター
２８  居間
２９  浴室
３０  出入口
３１  浴室、空調機器等の施設に至る配管
３２  共同住宅、事業所施設の階上、地下に至る配管
３３、３３′防炎器
３４  ３３用取付器
３５  スプリングの抑制板
３６  ２１と３５の固定させる固着部
３７  スプリング２１の脱落防止板
【図１】
2004216101.tif 000003
【図２】
2004216101.tif 000004